(57)【要約】【課題】  少量の動力エネルギーを他の発電装置より得て、引力エネルギーを電気エネルギーに変換させる引力発電機能を有した発電カプセルを地上部高所に吊り上げ、高所より低速で落下する発電カプセルを用いる発電装置に於いて、又は、発電モーター本体が錘役と成り落下する引力エネルギーを発電エネルギーに変換させる発電装置等の開発。【解決手段】  発電カプセルを最小エネルギーで吊り上げ可能なゴンドラや水車又はエレベーター式回転搭に設置させ、低速で発電カプセルが地上より吊り上げられる際も低速で吊り下げ落下させる際にも発電カプセル内に設けた発電モーター自体が錘と成り落下し、落下する発電モーターの引力エネルギーを回転エネルギーに変換させ発電モーター自体が電気を発生させる発電装置。【選択図】  図１
2013136958.tif 000002
【特許請求の範囲】
【請求項１】
地球体の引力のみで電力を発電させる事を特徴とした発電カプセルと、発電カプセルを地上高部に吊り上げ地上底部に吊り下げする機能を有する事を特徴とする回転水車式又は回転エレベーター式のゴンドラとを一体化させた引力発電装置。
【請求項２】
ゴンドラの回転で発電カプセルが上部に吊り上げされる際にも、下部に吊り下げられる際にも地球引力のエネルギーのみで電気を発生させる特徴を有した発電カプセル。
【請求項３】
多少なりとも地球体引力のみで発電を可能とさせる為の、錘ハンマーを引力落下させ発生した衝撃波動でゴンドラの回転を推進させるハンマーリングが組み込まれた事を特徴とした発電カプセル。
【請求項４】
地球体引力エネルギーを発生させる方法として釣瓶式に吊り錘を引力落下させ発生する引力エネルギーを錘を吊るすチェーンを通じて発電モーターを回転させ電気を発生させる事を特徴とした発電目的専用の発電カプセル。
【請求項５】
地球体引引力エネルギーを発生させる方法として発電モーター機自体を引力落下させ発電モーター自体を回転させ電気を発生させる事を特徴とした発電目的専用の発電カプセル。
【請求項６】
水車式単体ゴンドラに発電カプセルが複数連結セットされた構造形態を特徴とする請求項１に記載した引力発電装置。
【請求項７】
エレベーター式ゴンドラの連結チェーン等に発電カプセルが複数連結セットされた構造形態を特徴とする請求項１に記載した引力発電装置。
【請求項８】
ゴンドラの回転を推進させる為に他の動力を得てゴンドラの回転を推進させる補助動力機を装備させる構造と、発電カプセル内で発電した電力を発電カプセル外部に送電させる為のホイルや配線を一体化させて地球体の引力エネルギーを利用して電気を発電生産させる事を特徴とした引力発電装置。
【発明の詳細な説明】
【技術分野】
【０００１】
本発明は電気を発生させる方法に引力エネルギーを最大限に利用して電気エネルギーを確保する発電方法で、電気を引力で発生させえる機能を有した発電カプセルと当該カプセルを高所に吊り上げ高所より吊り下げる回転機能を有した回転タワーとを一体化させた発電システムの装置による発電方法。
【背景技術】
【０００２】
現在世界中で行われている発電装置には、水力、火力、原子力、風力、太陽、地熱が主流で有り波動、重力、引力等の動力を用いた産業上の発電は殆んど普及していない。特に引力エネルギーだけで発電させようとする発電装置は皆無である。これまでの文献には引力を要する発電装置を特徴としているが、引用文献の引力は電磁石の引力であり地球粒体の引力を利用するものではない。
【先行技術文献】
【特許文献】
【０００３】
【特許文献１】特開２００１−１９００５９号公報
【発明の概要】
【発明が解決しようとする課題】
【０００４】
従来の電力生産の主流は石油、石炭、ガス、原子力のエネルギーによる発電が主で此れらに変わる発電システムとして地球粒体の引力エネルギーを素直に電力生産システムに摂り入れ、現に地球大気の環境を破壊しつつ有る有害化学分子や原子が蔓延する地球を早急に１０００年前の有害化学物質の無い地球環境に戻す事を目的に、現在注目される水力、ソーラー、風力発電エネルギーを補助動力源に用いて、引力のエネルギーを主な動力源とする発電システムを世界中に構築させる。補助動力の電力を１キロワット消費させる事で１万キロワットの電力を生み出す様な発電装置システムの構築を行う。本発明の引力発電装置の回転タワーを回転させる発電方法は単純素朴な理論に基づく機械装置で有りながら地球全域の電力供給を可能とさせ地球の資源を枯渇させること無く、悪化した地球の自然環境を救う事を課題とする。機械文明が持続する限り電気の使用量は増すばかりで有るが為に早急な環境に優しい発電装置が必要不可欠で有り永遠に尽きる事の無い引力エネルギーを利用した発電装置の開発が望まれる。
【課題を解決するための手段】
【０００５】
現在地球上で主に活動している地下資源を燃焼させる発電装置は公害物質を大量に発生させ地下資源の枯渇を伴い人類を滅ぼしかねない状況下にある。現在の化学や機械主体の文明社会を維持させ続けながら人類が健康な身体を育み平和な社会環境を永久に維持させていくには、環境を破壊しない電気エネルギーの確保が不可欠とされる。そこで本発明では環境に優しい発電システムとして引力エネルギーを動力源とする発電装置を世界中で運用する事を提案する。
【０００６】
引力エネルギーを発生させるには引力で落下する重量物を動力を使用せずに出来る限り地上の高部に持ち上げるかが重要なポイントで本発明の引力発電装置を実用化させる鍵と成る。電気を発電可能とする発電装備を設計し、この発電装備を地上に最小限なエネルギーで引上げられる装置を構築する。この装置は引力エネルギーのみで発電する機能を有した機械構造の発電カプセルを、少しのエネルギーを用いて回転する水車式、エレベーター式のゴンドラを用いて地上高く吊り上げ、発電カプセルが吊りあげられる際にも吊り下げられる際に発電カプセル内の発電モーターが引力のみで回転し電気を発電する装置で、大型の発電カプセルを大量に複数連結させ大規模装置を確保しする事で大規模発電を可能とさせる。
【０００７】
発電カプセルは円、角、菱形等の筒状を成し施設の規模に応じて出来る限り長い筒状で外部の風雨に影響されない構造形体とする。
【０００８】
引力発電装置の発電カプセル内部機構は電気を発生させる発電モータを主体とし、発電カプセルの外部は発電カプセルの内部機材を安定的に固定させ、発電カプセル機材を風雨や鳥類や飛散障害物より保護させる目的と、カプセルを吊り上げ下げさせる回転ゴンドラに連結に固定確保させる為の支持金具をセットさせ強い衝撃に耐得る様に強度を要した鉄板、炭素繊維素材等でカプセル容器の形態を構成させる。
【０００９】
発電カプセル内における引力発生発電方法には二つのタイプを採用させる。一つのタイプは発電モータ自体が錘と成って落下する事で引力エネルギーを発生させ、落下する発電モーター自体が発生させた引力エネルギーが発電モーターを回転させ発電モーター自体が電気を発生させるタイプ。もう一つのタイプは発電カプセル内に錘と成る分銅を配し円運動が可能な吊りベルトで吊るした釣瓶式落下引力発生方法を用いて、落下する分銅の引力エネルギーをカプセル内に設置する単体又は複数の発電モ―タ―を回転稼働させ発電を可能とさせるタイプ。
【００１０】
請求項１の発明は、引力のエネルギーのみで電気エネルギーを生産させる発電装置の全体構造を示す。円型等の筒状のカプセル内に引力エネルギーを回転エネルギーに変換し発電モーターを回転させ電気を発電生産させる構造体の発電カプセルの存在を指す。前記の発電カプセルが引力を発生させる機能が働く様に地上高所の位置まで吊り上げ可能なゴンドラが存在する事。ゴンドラを左右対象に縦割りにした場合に左右の重力が０対０に成る様に機械構成され回転はしない機構又は、回転する際に回転軸や作動機械部品等の構造物の摩擦や風圧の抵抗で回転スピード能力が低下してもスピードダウンする回転ゴンドラに対し回転可動させるには左右の一方に牽き廻す強い重力を加えなければ成らず永続的に発電させるには重力を発生させる補助動力を用いて回転させる事を必要とする。発電カプセル内で電気を発生させるには発電カプセルをドラゴンの下部より上部に吊り上げられ上部より下部に吊り下げられる機能とし、発電カプセル内に於ける引力を発生させる重量物（落下発電モーター、落下錘）を吊り上げられる際にも吊り下げられる際にも常に発電カプセル内の最上部に位置させゴンドラ回転運動の進行に合わせて上部より下部に落下させ落下引力エネルギーを発生させ発電を行う。発電カプセルと内部で四六時中何年も永久的に枯渇する事の無い引力エネルギーを発生させ発電を行う発電カプセルを上下運動活動させる回転ゴンドラと、回転ゴンドラを永久的に回転させる補助動力を要した発電装置を指す。
【００１１】
請求項２の発明は、引力エネルギーを生じさせる為の錘又は発電モーターを発電カプセル内に組み込み、水車式又はエレベーター式ゴンドラにセットされた発電カプセルが最下部又は最上部に位置し到達した時点に於いては落下状態で無い為に引力の影響を受ける事が出来ず発電がされ無いが、ゴンドラの回転が進行し発電カプセルが吊り上げられる際及び吊り下げられる際には錘又は発電モーターは発電カプセルの最上部より引力落下状態に成り発電モーターが回転し始め、発電カプセルが直立する程に錘及び発電モーターは急速に引力落下して発電モーターの回転は最高潮に達し発電量を増す。錘又は発電モータの重量を発電モーターの機能に対応させた重量に調整させる事で発電効率を高める事が出来る。  錘又は発電モーターは吊り上げられる際にも吊り下げられる際にも発電カプセルの最上部に位置されゴンドラが１回転する度に上げ下げ往復２回の発電を可能とする。
【００１２】
請求項３の発明は、吊り下げ時に常に錘の分銅又は発電モーターの底部に位置するハンマーリングは発電カプセルが直立状態に成った際に急速で落下する。急速で落下したハンマーリングは発電カプセル底部に設けた緩衝クッションに衝撃パワーを与え発電タワー装置の回転機能率を促進させる又ハンマーリングは発電カプセルが引上げられる際は発電カプセルの上部、又は錘の上部に位置する為に発電エネルギーを発生させる錘又は発電モーターの重量エネルギーの増加と成り発電能力を高めさせる。
【００１３】
請求項４の発明は、引力発電カプセル内の発電機能構造の発電手法は錘を引力で落下させると錘を吊るしたチェーンを通じる運動エネルギーが発電モーターに伝わり発電モーターを回転させ電力を発生させる引力発電装置を指す。
方法を指す。
【００１４】
請求項５の発明は、発電モーター本体が引力で落下し落下する際のエネルギーを歯車回転エネルギーに変換され発電モーターが回転し電気を発生させる方法を組み入れた引力発電装置を指す。
構造を指す。
【００１５】
請求項６は小規模発電装置として水車式の単体円状回転ゴンドラを二立て以上並列に設置し複数の発電カプセルを数多くセットする事で連続的に寒暖の無いスムーズな発電が可能と成る事を指し、設置に際し経済的効率が高められる引力発電装置を事を指す。
【００１６】
請求項７は、大規模発電装置として適応しやすいエレベーター式ゴンドラを山間部に於いては山と山をタワー代わりに用いる。砂漠や平野部に於いては地上１００メートル程度のタワーを連立させて何百もの発電カプセルを設置させ２４時間昼夜を問わず天候にも左右される事無く永年に渡り永続的に電力が得られる引力発電装置を事を指す。
【００１７】
請求項８は、回転ゴンドラを回転させる為には既存の、ソーラー、風力、水力等の発電装置より得られる電力エネルギーを回転補助動力に用い、発電生産される電力をカプセル外部に送電させる機構を有する引力発電装置で有る事を指す。
【発明の効果】
【００１８】
以上、本発明においては引力のエネルギーを発電モーターに摂り込み発電モーターを回転させるエネルギーに変換させ発電が可能とする引力発電装置を大規模で膨大な数の発電設備を世界中に普及させる事で引力エネルギーに依る発電設備が世界中に行き渡り地球環境を大きく変革させる事はクリーンな地球環境をもたらすと共に世界平和に大きく寄与する。
【００１９】
前記発明が解決しようとする課題の問題は下記に示す発電装置を用いる方法で解決すべきである。
【００２０】
本発明は地球の引力エネルギーを電力エネルギーに変換させる機能を有した発電カプセルをわずかな動力エネルギーで回転するゴンドラを用いて高所に確保させる事より機能が働く。発電カプセルを高所に確保する際に出来る限りエネルギーを費やさせずに、発電カプセルを吊り上げる動力を如何に減少させるかが発電効率を高める鈎である。動力を減少させる為に該当カプセルを複数連結させ吊り上げカプセル数量と吊り下げカプセル数量を同等数にして左右の重量比を０対０に確保させ、吊り下げ重量に他の支援重量を少量加えて連動する吊り上げ動力に勝る吊り下げ動力を有した装置を確保させる。又、吊り上げ発電カプセルを吊り下げ発電カプセルに変換させる回転装置に於いては出来る限り回転摩擦が生じない技術が必要とされる。
【００２１】
前記の支援重量はエコ発電で有る水力、太陽、風力、地熱の既存発電所よりの発電された電気エネルギーを利用して回転ギヤ―軸に設置された回転補足モーターを可動させて行う。この際に使用する動力エネルギーは本発明の発電カプセル内で発電する電気エネルギーの１万分の１以下にさせる事が望まれる。
【００２２】
本発明の引力発電装置を稼働させる為の支援動力は他の発電エネルギーを借用するだけで無く、当該カプセル内に組み込まれたハンマーリングの落下衝撃エネルギーを得る手法を用いる事も出来る。
【００２３】
発電カプセルを吊り下げるゴンドラを回転させる補助支援動力は水力発電用に確保された既存ダム又は、日本の山間部に点在する谷川等より得る水又は、河川や用水路の流れを用いる水車等で水の重量を得て行う事も可能とさせる。
【００２４】
本発明の引力発電装置より生産される電気エネルギーを１万ボルトとした場合、本発電装置を稼働させる為の支援電気エネルギーの消費量は１ボルト以下に確保させて本発明の引力発電装置の発電効率を１万倍以上高める発電装置にさせる。
【００２５】
電気を発電させる引力発電カプセル内の発電機能構造は、当該カプセルを上下させる回転タワーより分離独立した機能構造を有した地球粒体の引力のみで発電する機能構造とする。
【００２６】
引力発電カプセル内の発電機能構造は当該カプセルが地上部より吊り上げられる際にも吊り下げられる際にも発電機能が活動出来る構造とさせる。
【００２７】
引力発電カプセル内の発電機能構造の発電手法は錘を引力で落下させると錘を吊るしたベルトの運動エネルギーが発電モーターに伝わり発電モーターを回転させ電力を発生させる方法と、発電モーター本体が引力で落下する際の引力エネルギーを歯車回転エネルギーに変換させ発電モーターを回転し電気を発生させる方法を組み入れた構造を特徴とする。
【００２８】
本発明は小規模施設に対しては小規模な引力発電装置の開発が可能で、大きな電力容量が必要とする施設に対しては大規模な引力発電装置の開発が可能で、現在地球上に存在し得ない程大規模な引力発電装置の開発も出来る要素を有する。
【００２９】
本発明の引力発電装置は地球環境に対し最も優しい発電システムで有り発電を開始した時点より半永久的に資源を消費することなく経済的にもわずかな維持管理で大量の電気エネルギーを得る事を可能にさせる。
【図面の簡単な説明】
【００３０】
【図１】発電カプセル自走式切断斜視図
【図２】発電カプセル釣瓶式断面図
【図３】水車式ゴンドラ側面図
【図４】水車式ゴンドラ正面図
【図５】エレベーター式ゴンドラ側面図
【図６】エレベーター式ゴンドラ正面図
【図７】引力エネルギー発生状況説明図
【図８】水車式引力発電装置運営説明図
【図９】エレベーター式引力発電装置運営説明図
【発明を実施するための形態】
【００３１】
本発明の引力発電装置の実施形態を図面と符号を用いて詳しく説明する。
【００３２】
図１と図２は、本発明の要となる引力エネルギーを発生させる１発電カプセルで有る。１発電カプセルの内部機構には二つの方式が有る。其の内の一つが図１で示す、スライドする４発電モーターを用いた自走発電方式で有る。図１の４発電モーターの自走発電方式は１発電カプセル内のセンター部に３落下主軸が設けられ３落下主軸には４発電モーターと５ハンマーリングを貫通させ又、３落下主軸は４発電モーター内に組み込まれた落下重力変換歯車を回転させるための７凹凸ネジ山の刻みが加工されている。此の他に１発電カプセルには発電された電気を受送電させる為の８送受電線（カプセル内壁部に埋め込む事も可とする）と４発電モーターより電気を送電させる９送電ホイルがセットされる。４発電モーターと５ハンマーリングの急激な衝撃を回避させる１０緩衝クッションが上下に設けられ、外装として鉄板や炭素繊維等の素材で包囲させた１１外筒が１発電カプセル全体を保護させ、１発電カプセル全体を図３、図５の１２回転ゴンドラに自在可能に接続させる１３センター連結具、１４サイド連結具、発電された電気を送電させる１５送電配線が組み込まれている。其の内の二が図２で示す、２固定発電モーターを用いた釣瓶発電方式である。釣瓶発電方式は１発電カプセルの上下に２固定発電モーターを設定させて上下双方の２固定発電モーターを１６吊りベルトで連結させ１発電カプセルを吊り下げ停止状態に有って下部に位置する２固定発電モーターに接する様に１７錘を１６吊りベルトに結束固定確保させる。１６吊りベルトに１７錘が確保される事で図３、図５の１８発電カプセル巡廻搭に於いて１発電カプセルが吊り上げられる際に於いても吊り下げられる際に於いても引力エネルギーに依る発電が可能と成る。ゴンドラの回転を推進させる落下衝撃用の重量ハンマーは１６吊りベルトの稼働を妨げない様に６内壁をスライドするハンマー形態とする。発電方式の１発電カプセル内機能構造と自走発電方式の１発電カプセル内の機能構造は同じ役割を成す。
【００３３】
図３と図４は、２０水車式ゴンドラの１８発電カプセル巡廻搭に１発電カプセルを８台を連結し横に二連並列し設置させた。２１矢印方向は２０水車式ゴンドラの回転方向を示す。２２外側矢印は１発電カプセル内に生じる引力エネルギーに依る図１、図２の４発電モーター又は１７錘の落下方向を示す。２０水車式ゴンドラを回転させる補助動力に２０水車式ゴンドラの外輪部に２３受水バケツを均一に多数設け２４水を用いる方法の回転補助動力は図８、図９の２５ソーラー発電、２６風力発電、２７水力発電等の電気より得る事も可能で有る。
【００３４】
図５、図６は、２８エレベーター式ゴンドラの１８発電カプセル巡廻搭に１発電カプセル１２台を連結し横二列に並列し設置させた。此の２８エレベーター式ゴンドラの発電システムは上記の２０水車式ゴンドラと機能的には同じで有るが１８発電カプセル巡廻搭には上下に二つの２９発電カプセル巡廻歯車が設定され離れ合った２９発電カプセル巡廻歯車間を３０連結可動チェーンで連結一体化させ３０連結可動チェーンに１発電カプセルを等間隔に１２台連結させ、１８発電カプセル巡廻搭内に多数の２３受水バケツを連結セットさせ２４水を回転補助動力に用いて２８エレベーター式ゴンドラで電気を発電させる事を可能とさせる。
【００３５】
図７は、２０水車式ゴンドラ及び２８エレベーター式ゴンドラの連動回転中、如何にして１発電カプセル内に於いて吊り下げられた場合に於いても吊り上げられる場合に於いても、引力エネルギーを動力エネルギーに変換させ動力エネルギーを電気エネルギーに変換させて発電を可能にさせるかの説明図である。１発電カプセルが４７矢印Ｈに到り通過する際には４発電モーターと５ハンマーリングは吊り上げ時点にはカプセルの最底部に位置した状態でセットされて運ばれて来るが、カプセルが４０矢印Ａの吊り下げ状態に進行した瞬間より４発電モーターと５ハンマーリングは１発電カプセルの最上部に位置される。吊り下げられた間に５ハンマーリングは何ら抵抗される事無く瞬時に落下し、図１の１０緩衝クッションに激突し落下衝撃引力パワーを３０連結可動チェーンに与え、２８エレベーター式ゴンドラ又は、図４の２０水車式ゴンドラの回転力を補う動力と成る。片や図１の４発電モーターの落下又は図２の１７錘は電気を発電させる為に図１の４発電モーター又は図２の２固定発電モーターを回転させる動力抵抗を受けながら落下する為４０矢印Ａより４１矢印Ｂ、４１矢印Ｂより４２矢印Ｃに緩やかに落下巡廻進行し４３矢印Ｄに達した際には４発電モーターと５ハンマーリングは回転進行方向の最先端部に位置される。１発電カプセルが４４矢印Ｅ４５矢印Ｆ４６矢印Ｇの吊り上げ状態に成ると上に５ハンマーリングが４発電モーター下に重なり合い１発電カプセルの最上部に配置され１発電カプセルが４４矢印Ｅ、４５矢印Ｆ、４６矢印Ｇに吊り上げられるに従い４発電モーターは落下しながら発電を行う。こうした４発電モーターの引力エネルギーに依る連続落下を２０水車式ゴンドラ又は２８エレベーター式ゴンドラの１８発電カプセル巡廻搭で巡廻運転させ電気を得る。本発明の１発電カプセルに図１の３１自走式発電カプセルと図２の３２釣瓶式発電カプセルが有るが機能内容、用途内容は同じで有る。
【００３６】
図８は、水車式引力発電装置の運営方法示した。３３水車式引力発電装置は小規模な施設の電気供給に適している。２０水車式ゴンドラを回転させる補助動力は２５ソーラー発電、２６風力発電より得た電力を３４蓄電設備に取り込む方法や３３水車式引力発電装置に一体化された３５水車に用水の流れを利用させる又は３５水車の水受け用器に２４水を送水させる方法で行う。補助動力を元に３３水車式引力発電装置で何倍にも倍増化された電力を直接又はいったん変電所を通じて住居、工場、街に送電させる。
【００３７】
図９は、３６エレベーター式引力発電装置の運営方法示した。３６エレベーター式引力発電装置は大規模な出力発電に適している図１、図２の１発電カプセルの全長を４０メートル１８発電カプセル巡廻搭の施設高は２００メートルで１０塔並列程度の規模とし、ゴンドラを保持する支柱は鉄骨やコンクリート等の構築物でも可能とするが日本に於いては自然の山の利用が最適で山から山に３９ゴンドラ回転軸を渡した装置も可能で有る。回転補助動力は既存の２７水力発電を利用するか３７ダムの２４水を取水させる又は、山合いの３８谷川の水量を用いる又は、山間部に２６風力発電を設けた発電の電力を用いて、１８発電カプセル巡回塔であり２８エレベーター式ゴンドラによる引力による発電装置を稼働させ、回転補助動力電力使用量に対し本発明の引力発電装置を用いる事で既存水力発電所に於いては１万倍の発電量が確保出来ると考えられ、生産された電力も既存送電設備が運用出来経済効率も図れる。
【符号の説明】
【００３８】
１．発電カプセル              
２．固定発電モーター        
３．落下主軸                  
４．発電モーター        
５．ハンマーリング            
６．内壁スライドハンマー
７．凹凸ネジ山                
８．送受電線      
９．送電ホイル
１０．緩衝クッション  
１１．外筒                    
１２．回転ゴンドラ
１３．センター連結具          
１４．サイド連結具      
１５．送電配線                
１６．吊りベルト    
１７．錘                      
１８．発電カプセル巡廻搭
１９．吊りベルトガイド軸      
２０．水車式ゴンドラ
２１．回転方向
２２．引力方向
２３．受水バケツ              
２４．水
２５．ソーラー発電            
２６．風力発電
２７．水力発電                
２８．エレベーター式ゴンドラ      
２９．発電カプセル巡廻歯車    
３０．連結可動チェーン
３１．自走式発電カプセル      
３２．釣瓶式発電カプセル  
３３．水車式引力発電装置      
３４．蓄電装置
３５．水車                    
３６．エレベーター式発電装置  
３７．ダム                
３８．谷川  
３９．ゴンドラ回転軸          
４０．矢印Ａ
４１．矢印Ｂ                  
４２．矢印Ｃ
４３．矢印Ｄ                  
４４．矢印Ｅ
４５．矢印Ｆ                  
４６．矢印Ｇ
４７．矢印Ｈ
【図１】
2013136958.tif 000003
【図２】
2013136958.tif 000004
【図３】
2013136958.tif 000005
【図４】
2013136958.tif 000006
【図５】
2013136958.tif 000007
【図６】
2013136958.tif 000008
【図７】
2013136958.tif 000009
【図８】
2013136958.tif 000010
【図９】
2013136958.tif 000011